(57)【特許請求の範囲】
【請求項１】
一面に情報ピットからなる情報記録領域が、他面に前記情報記録領域より内周側に位置するリング状の突起部からなるスタックリングが射出成形によってそれぞれ形成された透明なディスク基板と、該ディスク基板の前記一面に成膜した反射膜とを有する情報記録ディスクにおいて、
前記ディスク基板の一面に、前記スタックリングに対応して位置するダミーピットからなる乱反射領域が形成されている
ことを特徴とする情報記録ディスク。
【請求項２】
一面に情報ピットからなる情報記録領域が、他面に前記情報記録領域より内周側に位置するリング状の突起部からなるスタックリングが射出成形によってそれぞれ形成され、前記一面の全面に反射膜が成膜された透明な片側ディスク基板と、該片側ディスク基板の前記一面の全面に成膜した反射膜と、該反射膜上に紫外線硬化型接着剤を介して貼り合わされた透明なダミー基板とを有する情報記録ディスクにおいて、
前記片側ディスク基板の一面に、前記スタックリングに対応して位置するダミーピットからなる乱反射領域が形成されている
ことを特徴とする情報記録ディスク。
【請求項３】
一面に情報ピットからなる第１の情報記録領域が、他面に前記情報記録領域より内周側に位置するリング状の突起部からなるスタックリングが射出成形によってそれぞれ形成され、前記一面の全面に反透明反射膜が成膜された透明な第１の片側ディスク基板と、一面に情報ピットからなる第２の情報記録領域が形成されるとともに、該一面の全面に反射膜が成膜された透明な第２の片側ディスク基板とを有し、前記第１の片側ディスク基板及び前記第２の片側ディスク基板を、前記反透明反射膜と前記反射膜を互いに対向させて、紫外線硬化型接着剤を介して貼り合わせた情報記録ディスクにおいて、
前記第２の片側ディスク基板の一面に、前記第１の片側ディスク基板に貼り合わせた状態で前記スタックリングに対応して位置するダミーピットからなる乱反射領域が形成されている
ことを特徴とする情報記録ディスク。
【請求項４】
請求項１記載の情報記録ディスクを製造する情報記録ディスクの製造方法において、
前記ディスク基板の前記情報記録領域の情報ピットを形成するスタンパーに前記乱反射領域のダミーピットを設け、前記ダミーピットを前記情報ピットと同時に形成する
ことを特徴とする情報記録ディスクの製造方法。
【請求項５】
請求項２記載の情報記録ディスクを製造する情報記録ディスクの製造方法において、
前記片側ディスク基板の前記情報記録領域の情報ピットを形成するスタンパーに前記乱反射領域のダミーピットを設け、前記ダミーピットを前記情報ピットと同時に形成する
ことを特徴とする情報記録ディスクの製造方法。
【請求項６】
請求項３記載の情報記録ディスクを製造する情報記録ディスクの製造方法において、前記第２の片側ディスク基板の前記情報記録領域の情報ピットを形成するスタンパーに前記乱反射領域のダミーピットを設け、前記ダミーピットを前記情報ピットと同時に形成する
ことを特徴とする情報記録ディスクの製造方法。
【発明の詳細な説明】
【０００１】
【発明の属する技術分野】
本発明は、ＣＤや２枚のディスク基板を表裏に貼り合わせてなるＤＶＤ等の情報記録ディスク及びその製造方法に関し、特にフルフラット形状と称される、レーベル印刷面側の外周部から内周部のディスク・クランピングエリアまでの範囲に凹凸となる段差のない平坦な形状をしていて、ディスク読み取り面側にはスタックリングと称される凸状の段差がディスク・クランピング・エリアよりも外周側に設置された形状の情報記録ディスク及びその製造方法に関する。
【０００２】
【従来の技術】
従来よりこのような情報記録ディスクでは、一般的に、先ず射出成形によって情報ピットの形成されたポリカーボネート等の透明ディスク基板を作製する。
【０００３】
例えば、ＣＤ（コンパクトディスク）ではこの成形したディスクのピットの表面にアルミ等の反射膜をスパッタリング等の膜形成手段によって成膜し、この反射膜を保護する目的で紫外線硬化型樹脂を塗布し、この表面にレーベルを印刷して製品とする。
【０００４】
成形したＣＤには一般に、情報読み取り面がプレーヤー等の平坦な面に接触しても傷が付かないように情報読み取り面の表面にリング状の突起部を設けてある。このリング状の突起部が設けられている位置はプレーヤーのクランピングエリアの外側で情報記録エリアの内側となる、概ね直径３５ｍｍ付近である。このようなリング状の突起部をスタックリングと称している。
【０００５】
【発明が解決しようとする課題】
しかしながら、このスタックリングの設けられた部分を反射膜側から見た場合、射出成形特有の「ヒケ」が確認でき、ヒケの浮き出しが目立って商品価値を低下させるという問題があった。このヒケは高温で成形された基板が冷却されて起こる収縮から生じるもので、基板の均等な厚さ（板厚）に対し、このスタックリング部が厚肉であるためにこの部分だけ収縮量が大きくなり、外観上でこの部分だけ目立って「ヒケ」として確認されるものである。
【０００６】
図４は従来のコンパクトディスクの要部断面図である。
即ち、図４に示すように、ディスク基板１１のスタックリング１１ｄに対応する反対側面には情報ピット１１ａが存在しているわけではなく、スタンパーの表面は鏡面となっている。このスタックリング１１ｄの反対側面部分に図示の如く反射膜１２を形成するとこの部分のヒケ１１ｃが目立ってしまう。このような情報記録ディスクでは製品としての外観を大きく損なうこととなる。
【０００７】
図５は、従来の「片面単層」タイプのＤＶＤの要部断面図である。
また、図５に示すように、ＤＶＤの「片面単層」ディスクでも同様に、ダミー面側の片側ディスク基板２１が透明基板であれば、貼り合わせたダミー面側の片側ディスク基板２１側から、即ち、「片面単層」ディスクの情報記録領域２２ａが形成された片側ディスク基板２２の反対側からヒケ２２ｃが観察される。
【０００８】
図６は、従来の「片面２層」タイプのＤＶＤの要部断面図である。
また、図６に示すように、ＤＶＤの「片面２層」ディスクでは、レイヤー０（Ｌ０）ディスクである片側ディスク基板３２側の面から紫外線ＵＶを照射して接着剤である紫外線硬化型樹脂３４を硬化させる。このため、片側ディスク基板３２のスタックリング３２ｄ及びこのスタックリング３２ｄによるヒケ３２ｃは、紫外線照射時にレンズとして作用し、不均一な照射光量をもたらす。この照射光量の不均一さにより、紫外線硬化型接着剤３４が均一な速度で硬化せず、結果としてスタックリング３２ｄの輪郭が丁度影のように裏面のレイヤー１（Ｌ１）側ディスクである片側ディスク基板３１に浮き出てしまい商品価値を低下させるという問題があった。
【０００９】
以上のように、フルフラット形状のディスクでは、スタックリング１１ｄ，２２ｄ，３２ｄによるヒケ１１ｃ，２２ｃ，３２ｃの影響で外観を大きく損なうという問題があった。
【００１０】
そこで、本発明は、スタックリングにより発生する外観不良を防止することができる情報記録ディスク及びその製造方法を提供することをその目的とする。
【００１１】
【課題を解決するための手段】
上記目的を達成するために請求項１の情報記録ディスクは、一面に情報ピットからなる情報記録領域が、他面に前記情報記録領域より内周側に位置するリング状の突起部からなるスタックリングが射出成形によってそれぞれ形成された透明なディスク基板と、該ディスク基板の前記一面に成膜した反射膜とを有する情報記録ディスクにおいて、前記ディスク基板の一面に、前記スタックリングに対応して位置するダミーピットからなる乱反射領域が形成されていることを特徴としている。
【００１２】
また、請求項２の情報記録ディスクは、一面に情報ピットからなる情報記録領域が、他面に前記情報記録領域より内周側に位置するリング状の突起部からなるスタックリングが射出成形によってそれぞれ形成され、前記一面の全面に反射膜が成膜された透明な片側ディスク基板と、該片側ディスク基板の前記一面の全面に成膜した反射膜と、該反射膜上に紫外線硬化型接着剤を介して貼り合わされた透明なダミー基板とを有する情報記録ディスクにおいて、前記片側ディスク基板の一面に、前記スタックリングに対応して位置するダミーピットからなる乱反射領域が形成されていることを特徴としている。
【００１３】
また、請求項３の情報記録ディスクは、一面に情報ピットからなる第１の情報記録領域が、他面に前記情報記録領域より内周側に位置するリング状の突起部からなるスタックリングが射出成形によってそれぞれ形成され、前記一面の全面に半透明反射膜が成膜された透明な第１の片側ディスク基板と、一面に情報ピットからなる第２の情報記録領域が形成されるとともに、該一面の全面に反射膜が成膜された透明な第２の片側ディスク基板とを有し、前記第１の片側ディスク基板及び前記第２の片側ディスク基板を、前記半透明反射膜と前記反射膜を互いに対向させて、紫外線硬化型接着剤を介して貼り合わせた情報記録ディスクにおいて、前記第２の片側ディスク基板の一面に、前記第１の片側ディスク基板に貼り合わせた状態で前記スタックリングに対応して位置するダミーピットからなる乱反射領域が形成されていることを特徴としている。
【００１５】
また、請求項４の情報記録ディスクの製造方法は、請求項１記載の情報記録ディスクを製造する情報記録ディスクの製造方法において、前記ディスク基板の前記情報記録領域の情報ピットを形成するスタンパーに前記乱反射領域のダミーピットを設け、前記ダミーピットを前記情報ピットと同時に形成することを特徴としている。
【００１６】
また、請求項５の情報記録ディスクの製造方法は、請求項２記載の情報記録ディスクを製造する情報記録ディスクの製造方法において、前記片側ディスク基板の前記情報記録領域の情報ピットを形成するスタンパーに前記乱反射領域のダミーピットを設け、前記ダミーピットを前記情報ピットと同時に形成することを特徴としている。
【００１７】
また、請求項６の情報記録ディスクの製造方法は、請求項３記載の情報記録ディスクを製造する情報記録ディスクの製造方法において、前記第２の片側ディスク基板の前記情報記録領域の情報ピットを形成するスタンパーに前記乱反射領域のダミーピットを設け、前記ダミーピットを前記情報ピットと同時に形成することを特徴としている。
【００１９】
【発明の実施の形態】
以下、本発明の実施の形態を図面を参照して説明する。
図１は本発明の一実施形態を示すコンパクトディスクの要部断面図である。
図１に示すように、このコンパクトディスクは、一面に情報記録領域１１ａ、他面にスタックリング１１ｄが形成された透明なディスク基板１１を備えている。このディスク基板１１のスタックリング１１ｄと対向する面には乱反射用のダミーピット１１ｂが形成されている。なお、１１ｆは中心穴、ＣＡはクランピングエリア、Ｌは情報読取用のレーザ光である。
【００２０】
この乱反射領域であるダミーピット１１ｂは、スタックリング１１ｄにより生じるヒケ１１ｃを覆うように形成されている。即ち、ダミーピット１１ｂはスタックリング１１ｄの斜面１１ｅの端部より外側まで形成されている。そして、ディスク基板１１の情報記録領域１１ａ側の全面に反射膜１２が形成されている。したがって、この反射膜１２により情報記録領域１１ａの情報ピット及びダミーピット１１ｂが被覆されている。
【００２１】
前記ダミーピット１１ｂは、ダミーピット形成用の凹凸を図示しないスタンパーに設けることにより形成することができる。なお、このダミーピット１１ｂを形成する凹凸を情報記録領域１１ａを形成するスタンパー（不図示）に設けることにより、情報記録領域１１ａの情報ピットとダミーピット１１ｂとを同時に形成することができる。
【００２２】
このようなコンパクトディスクにおいては、スタックリング１１ｄによるヒケ１１ｃが発生する部分に乱反射領域であるダミーピット１１ｂが形成されているので、反射膜１２から反射する光が散乱されて反射膜１２の外側に成形時のヒケや輪郭が浮き出すのを防止することができる。
【００２３】
図２は、本発明の他の一実施形態を示す「片面単層」タイプのＤＶＤの要部断面図である。
図２に示すように、この「片面単層」タイプのＤＶＤは、一面に情報記録領域２２ａ、他面にスタックリング２２ｄが形成された透明な片側ディスク基板２２と片側ディスク基板２２に貼り合わされる透明なダミー基板２１とを備えている。この片側ディスク基板２２のスタックリング２２ｄと対向する面には乱反射用のダミーピット２２ｂが形成されている。なお、２１ｆは中心穴である。
【００２４】
この乱反射領域であるダミーピット２２ｂは、スタックリング２２ｄにより生じるヒケ２２ｃを覆うように形成されている。即ち、ダミーピット２２ｂはスタックリング２２ｄの斜面２２ｅの端部より外側まで形成されている。そして、片側ディスク基板２２の情報記録領域２２ａ側の全面に反射膜２３が形成されている。したがって、この反射膜２３により情報記録領域２２ａの情報ピット及びダミーピット２２ｂが被覆されている。そして、反射膜２３上には、例えば紫外線硬化型接着剤２４を介して透明ダミー基板２１が貼り合わされている。
【００２５】
このような「片面単層」タイプのＤＶＤにおいては、スタックリング２２ｄによるヒケ２２ｃが発生する部分に乱反射領域であるダミーピット２２ｂが形成されているので、反射膜２３から反射する光が散乱されて反射膜２３の外側にヒケ２２ｃや輪郭が浮き出すのを防止することができる。
【００２６】
以上のダミーピットの代わりに、予めヒケに対して打ち消す光学的なレンズ効果（ホログラム）をもつような凹凸状の段差となる配列パターンを設けるようにしてもよい。なお、このホログラムにより透かし等の表示領域とすることもできる。
【００２７】
図３は、本発明の他の一実施形態を示す「片面２層」タイプのＤＶＤの要部断面図である。
図３に示すように、この「片面２層」タイプのＤＶＤは、半透明反射膜３３に被覆された情報記録領域３２ａが一面に形成され、他面にディスク積み重ね用のスタックリング３２ｄが形成されたレイヤー０（Ｌ０）側の透明な片側ディスク基板３２と、反射膜３５に被覆された情報記録領域３１ａが一面に形成され、他面にフラット面が形成されたレイヤー１（Ｌ１）側の透明な片側ディスク基板３１とを備えている。なお、３１ｆは中心穴である。
【００２８】
このＬ１側の片側ディスク基板３１のスタックリング３２ｄと対応する位置には乱反射用の第１ダミーピット３１ｂが形成されている。また、Ｌ０側の片側ディスク基板３２のスタックリング３２ｄが形成されている面と対向する面のスタックリング３２ｄに対応する部分には硬化用紫外線ＵＶを拡散させるための第２ダミーピット３２ｂが形成されている。なお、本実施形態では第２ダミーピット３２ｂを設けたが、この第２ダミーピット３２ｂは省略してもよい。
【００２９】
この乱反射領域である第１ダミーピット３１ｂ及び乱反射用の第２ダミーピット３２ｂは、スタックリング３２ｄに対応する範囲を覆うように形成されている。即ち、第１ダミーピット３１ｂ及び第２ダミーピット３２ｂはスタックリング３１ｄの斜面３２ｅの端部より外側まで形成されている。
【００３０】
そして、Ｌ０側の片側ディスク基板３２に備える情報記録領域３２ａ側の全面に半透明反射膜３３が形成されているので、この半透明反射膜３３により情報記録領域３２ａの情報ピット及び第２ダミーピット３２ｂが被覆されている。
【００３１】
また、Ｌ１側の片側ディスク基板３１に備える情報記録領域３１ａ側の全面に反射膜３５が形成されているので、この反射膜３５により情報記録領域３１ａの情報ピット及び第１ダミーピット３１ｂが被覆されている。
【００３２】
そして、Ｌ０側の片側ディスク基板３２上には、例えば所定厚の紫外線硬化型接着剤３４を介してＬ１側の片側ディスク基板３１の反射膜３５側が貼り合わされている。
【００３３】
このような「片面２層」タイプのＤＶＤにおいては、スタックリング３２ｄによる「輪郭の浮き出し」が発生する部分に乱反射領域である第１ダミーピット３１ｂが形成されているので、反射膜３５から反射する光が散乱され、紫外線硬化型接着剤３４の硬化収縮ムラによる輪郭の浮き出しが反射膜３５の外側に浮き出すのを防止することができる。
【００３４】
また、乱反射用の第２ダミーピット３２ｂが設けられているので、スタックリング３２ｄ側から硬化用の紫外線を照射した場合に、第２ダミーピット３２ｂで拡散された後に、紫外線硬化型接着剤３４に入射し、スタックリング３２ｄやヒケ３２ｃによる紫外線の不均一な入射を大幅に軽減することができる。したがって、「輪郭の浮き出し」の原因を減少させることができる。
【００３５】
以上のダミーピット１１ｂ，２２ｂ又は第１ダミーピット３１ｂのピットの長さを組み合わせることにより絵や文字を目視可能に表示することができる。
【００３６】
なお、本発明は上記実施形態に限定されるものではない。即ち、本発明の骨子を逸脱しない範囲で種々変形して実施することができる。
【００３７】
【発明の効果】
以上、説明したように、本発明によれば、スタックリングにより発生する外観不良を防止することができる情報記録ディスク及びその製造方法を提供することができるという効果を有する。
【図面の簡単な説明】
【図１】本発明の一実施形態を示すコンパクトディスクの要部断面を示す概略図である。
【図２】本発明の他の一実施形態を示す「片面単層」タイプのＤＶＤの要部断面を示す概略図である。
【図３】本発明の他の一実施形態を示す「片面２層」タイプのＤＶＤの要部断面を示す概略図である。
【図４】従来のコンパクトディスクの要部断面を示す概略図である。
【図５】従来の「片面単層」タイプのＤＶＤの要部断面を示す概略図である。
【図６】従来の「片面２層」タイプのＤＶＤの要部断面を示す概略図である。
【符号の説明】
１１                                ディスク基板
２１，２２，３１，３２              片側ディスク基板
１１ａ、２２ａ，３１ａ，３２ａ      情報記録領域
１１ｂ，２２ｂ                      ダミーピット（乱反射領域）
３１ｂ                              第１ダミーピット
３２ｂ                              第２ダミーピット
１１ｄ，２２ｄ，３２ｄ              スタックリング（凸部）
１２，２３，３５                    反射膜
２４，３４                          紫外線硬化型接着剤
３３                                半透明反射膜
【図１】
0004002354.tif 000002
【図２】
0004002354.tif 000003
【図３】
0004002354.tif 000004
【図４】
0004002354.tif 000005
【図５】
0004002354.tif 000006
【図６】
0004002354.tif 000007